(57)【要約】      （修正有）【課題】騒音を抑制でき、送風効率を向上することができる送風装置を提供する。【解決手段】送風装置は、上下方向に延びる中心軸を中心にして回転可能なインペラ２００と、インペラ２００を駆動するモータと、を備える。インペラ２００は、周方向に配列される複数の羽根部１Ｇと、径方向外側における外周縁部に複数の羽根部１Ｇが設けられるフランジ部２３と、を有する。複数の羽根部１Ｇの少なくとも一部は、径方向内側且つ軸方向一方側における端部に段差部１５を有する。段差部１５は、軸方向一方側を向く第１端面１５ａと、軸方向一方側を向き且つ第１端面１５ａよりも軸方向他方側に位置する第２端面１５ｂと、第１端面１５ａの径方向内側における内端部及び第２端面１５ｂの径方向外側における外端部を接続する第３端面１５ｃと、を含む。【選択図】図６Ｂ
2018193892.tif 000002
【特許請求の範囲】
【請求項１】
上下方向に延びる中心軸を中心にして回転可能なインペラと、
前記インペラを駆動するモータと、
を備え、
前記インペラは、
周方向に配列される複数の羽根部と、
径方向外側における外周縁部に複数の前記羽根部が設けられるフランジ部と、
を有し、
複数の前記羽根部の少なくとも一部は、径方向内側且つ軸方向一方側における端部に段差部を有し、
前記段差部は、軸方向一方側を向く第１端面と、軸方向一方側を向き且つ前記第１端面よりも軸方向他方側に位置する第２端面と、前記第１端面の径方向内側における内端部及び前記第２端面の径方向外側における外端部を接続する第３端面と、を含む送風装置。
【請求項２】
軸方向から見て、前記第２端面は、前記フランジ部の径方向外側に位置する外側面よりも径方向内側にある請求項１に記載の送風装置。
【請求項３】
前記第２端面は、前記羽根部の回転方向における端部から周方向における前記回転方向とは反対側における端部に延びる請求項１又は請求項２に記載の送風装置。
【請求項４】
複数の前記羽根部は、第１羽根部と、前記第１羽根部と周方向に隣り合う第２羽根部と、を含む羽根部群を有し、
前記第１羽根部及び前記第２羽根部はそれぞれ前記段差部を有し、
前記第１羽根部は、前記第２羽根部よりも前記羽根部群の回転方向に配置され、
前記第２羽根部における前記第２端面の面積は、前記第１羽根部における前記第２端面の面積よりも小さい請求項１〜請求項３のいずれかに記載の送風装置。
【請求項５】
前記第１羽根部の前記段差部における前記第１端面と前記第２端面との間の軸方向における間隔は、前記第２羽根部の前記段差部における前記第１端面と前記第２端面との間の軸方向における間隔よりも大きい請求項４に記載の送風装置。
【請求項６】
軸方向から見て、前記第１羽根部における前記第２端面の前記第１羽根部が延びる方向に沿う長さは、前記第２羽根部における前記第２端面の前記第２羽根部が延びる方向に沿う長さよりも大きい請求項４又は請求項５に記載の送風装置。
【請求項７】
第１羽根部における前記第３端面は、第２羽根部における前記第３端面よりも径方向内側に位置する請求項４〜請求項６のいずれか記載の送風装置。
【請求項８】
前記羽根部群は、前記第２羽根部と周方向に隣り合う第３羽根部をさらに含み、
前記第３羽根部は、前記第２羽根部よりも周方向における前記回転方向とは反対側に配置され、
前記第３羽根部の径方向内側における端部は、前記第１羽根部の径方向内側における端部、及び前記第２羽根部の径方向内側における端部よりも径方向外側に位置する請求項４〜請求項７のいずれかに記載の送風装置。
【請求項９】
前記羽根部群は、複数であり、周方向に並ぶ請求項４〜請求項７のいずれかに記載の送風装置。
【請求項１０】
各々の前記羽根部群は、第１羽根部、第２羽根部、及び第３羽根部で構成され、
複数の前記羽根部の数は３１以上である請求項４〜請求項９のいずれかに記載の送風装置。
【請求項１１】
複数の前記羽根部のうちの少なくともいずれかは、径方向内側における端部において、周方向における前記回転方向とは反対側に位置する後縁面に傾斜面を有し、
前記傾斜面は、前記羽根部の軸方向一方側における端部から延びて、周方向における前記回転方向とは反対側に向かって、前記中心軸に直交する平面に対して軸方向他方側に傾斜し、
周方向から見て、前記羽根部の軸方向一方側における端部と前記傾斜面の軸方向他方側における縁部との間の軸方向における間隔は、前記傾斜面の軸方向他方側における縁部と前記羽根部の軸方向他方側における端部との間の軸方向における間隔よりも大きい請求項１〜請求項１０のいずれかに記載の送風装置。
【請求項１２】
前記インペラは、前記羽根部の軸方向一方側及び他方側のうちの少なくとも一方において複数の前記羽根部を連結する環状のリング部をさらに有する請求項１〜請求項１１のいずれかに記載の送風装置。
【請求項１３】
環状の前記リング部が、前記羽根部の軸方向一方側に設けられ、
前記段差部は、前記リング部よりも径方向内側に位置する請求項１２に記載の送風装置。
【請求項１４】
前記インペラ及び前記モータを収容するハウジングをさらに備え、
前記ハウジングは、
前記羽根部の軸方向一方側に位置する羽根部一方端面と隙間を介して対向する第１ハウジング部と、
前記羽根部の軸方向他方側に位置する羽根部他方端面と隙間を介して対向する第２ハウジング部と、
をさらに有し、
前記第１ハウジング部は、軸方向に貫通する吸気口を有する請求項１〜請求項１３のいずれかに記載の送風装置。
【請求項１５】
前記羽根部は、前記リング部よりも径方向外側に位置する第１羽根端面をさらに有し、
前記第１羽根端面は、径方向外側に向かって、前記中心軸に直交する平面に対して軸方向一方側に傾斜し、
前記第１ハウジング部は、前記羽根部の前記第１羽根端面よりも軸方向一方側において前記第１羽根端面と平行に設けられる第１板部をさらに有する請求項１４に記載の送風装置。
【請求項１６】
前記羽根部は、前記リング部よりも径方向外側に位置する第２羽根端面をさらに有し、
前記第２羽根端面は、径方向外側に向かって、前記中心軸に直交する平面に対して軸方向他方側に傾斜し、
前記第１ハウジング部は、前記羽根部の前記第２羽根端面よりも軸方向一方側において前記第２羽根端面と平行に設けられる第２板部をさらに有する請求項１４又は請求項１５に記載の送風装置。
【請求項１７】
前記リング部は湾曲面を有し、
前記湾曲面は、周方向から見た断面視において、軸方向一方側且つ径方向内側に向かって突き出る湾曲形状を有する請求項１４〜請求項１６のいずれかに記載の送風装置。
【発明の詳細な説明】
【技術分野】
【０００１】
本発明は、送風装置に関する。
【背景技術】
【０００２】
従来、複数の羽根部を軸方向を中心にしてモータにより回転させることにより、径方向外側に送風する送風装置が知られている。送風装置は、たとえば軸方向上側にある吸気口から周方向に隣り合う羽根部間に流れ込む空気を羽根部の回転によって径方向外側に送り出すことにより外部に送風する。このような送風装置は、たとえば、薄型化が要求される電子機器の冷却ファンなどに用いられている。
【０００３】
なお、本発明に関連する先行技術として、特許文献１では、複数のブレードをインペラに有する電動送風機を教示している。この電動送風機では、ブレードの最外周端部の形状を複数段の階段形状とすることにより、見かけ上のブレード枚数を倍増し、電動送風機から発生する耳障り音を高周波域にシフトさせて、耳障り音の低減を図っている。
【先行技術文献】
【特許文献】
【０００４】
【特許文献１】特許第５０１２０９６号公報
【発明の概要】
【発明が解決しようとする課題】
【０００５】
送風装置の薄型化に伴い、羽根部の軸方向長さは短くなり、各々の羽根部が空気を掻く面積は小さくなって、送風装置の送風効率が低下してしまう。羽根部を増やせば、複数の羽根部が空気を掻く総面積を増加させることはできる。但し、周方向に隣り合う羽根部の径方向内側における内端部間の隙間が狭くなる。そのため、送風装置内に吸気された空気は、該隙間に流れ込み難くなり、送風効率が低下してしまう。また、インペラを回転する際、吸気された空気が羽根部の表面から剥離して羽根部及びハウジング間を流れたり渦流となったりすることにより、騒音が増大してしまう。このような問題について、引用文献１は、なんら言及していない。
【０００６】
本発明は、上記の状況を鑑みて、騒音を抑制でき、送風効率を向上することができる送風装置を提供することを目的とする。
【課題を解決するための手段】
【０００７】
上記目的を達成するために、本発明の例示的な送風装置は、上下方向に延びる中心軸を中心にして回転可能なインペラと、前記インペラを駆動するモータと、を備え、前記インペラは、周方向に配列される複数の羽根部と、径方向外側における外周縁部に複数の前記羽根部が設けられるフランジ部と、を有し、複数の前記羽根部の少なくとも一部は、径方向内側且つ軸方向一方側における端部に段差部を有し、前記段差部は、軸方向一方側を向く第１端面と、軸方向一方側を向き且つ前記第１端面よりも軸方向他方側に位置する第２端面と、前記第１端面の径方向内側における内端部及び前記第２端面の径方向外側における外端部を接続する第３端面と、を含む構成とされる。
【発明の効果】
【０００８】
本発明の例示的な送風装置によれば、騒音を抑制でき、送風効率を向上することができる。
【図面の簡単な説明】
【０００９】
【図１】図１は、送風装置の一例を示す斜視図である。
【図２】図２は、送風装置の構成例を示す断面図である。
【図３】図３は、インペラの上面図である。
【図４】図４は、周方向から見た送風装置の断面図である。
【図５】図５は、羽根部が延びる方向から見た羽根部の断面図である。
【図６Ａ】図６Ａは、インペラの斜視図である。
【図６Ｂ】図６Ｂは、羽根部の構成例を示す斜視図である。
【図６Ｃ】図６Ｃは、羽根部の径方向内側における内端部を拡大した上面図である。
【図７Ａ】図７Ａは、羽根部の構成の変形例を示す斜視図である。
【図７Ｂ】図７Ｂは、フランジ部の外周面よりも径方向内側における羽根部の断面の一例を示す図である。
【図７Ｃ】図７Ｃは、フランジ部の外周面よりも径方向外側における羽根部の断面の一例を示す図である。
【図７Ｄ】図７Ｄは、フランジ部の外周面よりも径方向外側における羽根部の断面の他の一例を示す図である。
【図８】図８は、送風装置の構成の第１変形例を示す断面図である。
【図９】図９は、送風装置の構成の第２変形例を示す断面図である。
【図１０Ａ】図１０Ａは、送風装置を搭載するラップトップ型の情報装置の一例を示す透視斜視図である。
【図１０Ｂ】図１０Ｂは、ヒートパイプが取り付けられた送風装置の構成例を示す斜視図である。
【発明を実施するための形態】
【００１０】
以下に図面を参照して本発明の例示的な実施形態を説明する。
【００１１】
なお、本明細書では、送風装置１００において、中心軸ＣＡと平行な方向を「軸方向」と呼ぶ。軸方向において、後述する支持プレート部４０２から後述する吸気プレート部４０１に向かう方向を軸方向一方側として「軸方向上側」と呼ぶ。また、軸方向において、吸気プレート部４０１から支持プレート部４０２に向かう方向を軸方向他方側として「軸方向下側」と呼ぶ。さらに、各々の構成要素において、軸方向上側における端部を「上端部」と呼び、軸方向下側における端部を「下端部」と呼ぶ。また、軸方向上側に位置する端面は軸方向一方側に位置する一方端面として「上端面」と呼び、軸方向下側に位置する端面は軸方向他方側に位置する他方端面として「下端面」と呼ぶ。
【００１２】
また、中心軸ＣＡに直交する方向を「径方向」と呼ぶ。径方向において、中心軸ＣＡに向かう方向を「径方向内側」と呼び、中心軸ＣＡから離れる方向を「径方向外側」と呼ぶ。各々の構成要素の側面において、径方向内側に位置する側面は「内側面」と呼び、径方向外側に位置する側面は「外側面」と呼ぶ。また、径方向内側における端部を「内端部」と呼び、径方向外側における端部を「外端部」と呼ぶ。より具体的には、軸方向から見て、径方向の「内端部」は「内側面」と重なり、径方向の「外端部」は「外側面」と重なる。また、径方向の「外端部」よりも径方向内側、且つ、径方向の「外端部」近傍の部分を「外周縁部」と呼ぶ。
【００１３】
また、中心軸ＣＡを中心とする周方向は「周方向」と呼ぶ。周方向一方側は後述するインペラ２００及び羽根部１の回転方向Ｄｒｏと同じ方向であり、周方向他方側は回転方向Ｄｒｏとは反対側と同じ方向である。また、各々の構成要素において、周方向における回転転方向Ｄｒｏとは反対側に位置する側面を「後縁面」と呼び、周方向における回転方向Ｄｒｏ側に位置する側面を「前縁面」と呼ぶ。
【００１４】
なお、以上に説明した方向、面、及び構成部などの呼称は、実際の機器に組み込まれた場合での位置関係及び方向などを示すものではない。
【００１５】
＜１．実施形態＞
＜１−１．送風装置の概略構成＞
図１は、送風装置１００の一例を示す斜視図である。図２は、送風装置１００の構成例を示す断面図である。なお、図２は、図１において中心軸ＣＡを含む面で切断した送風装置１００の一点鎖線Ａ１−Ａ１に沿う断面を示している。
【００１６】
送風装置１００は、インペラ２００と、モータ３００と、ハウジング４００と、を備える。
【００１７】
インペラ２００は、複数の羽根部１が設けられた羽根車であり、モータ３００に取り付けられている。インペラ２００は、モータ３００のシャフト３０１とともに、上下方向に延びる中心軸ＣＡを中心にして回転可能である。中心軸ＣＡから羽根部１の径方向外側における外端部（つまり先端）までの径方向における最短距離Ｌｒは、送風装置１００の軸方向長さＬａよりも大きく、好ましくは軸方向長さＬａの５倍以上である。こうすれば、送風装置１００を薄型化できる。なお、インペラ２００の構成は後に説明する。
【００１８】
モータ３００は、中心軸ＣＡを中心にしてシャフト３０１を回転させることにより、インペラ２００を駆動する。
【００１９】
ハウジング４００は、インペラ２００及びモータ３００を収容する。ハウジング４００は、吸気プレート部４０１と、支持プレート部４０２と、側壁部４０３と、を有している。
【００２０】
吸気プレート部４０１は、複数の羽根部１よりも軸方向上側に設けられ、羽根部１の軸方向上側に位置する羽根部上端面１２と隙間を介して対向している。吸気プレート部４０１は、軸方向に貫通する吸気口４０１ａを有している。
【００２１】
支持プレート部４０２は、複数の羽根部１よりも軸方向下側に設けられ、羽根部１の軸方向下側に位置する羽根部下端面１１と隙間を介して対向し、モータ３００を支持している。より具体的には、支持プレート部４０２の上面にはモータ３００が固定されている。支持プレート部４０２の上面は、軸方向において、吸気プレート部４０１の下面と対向している。
【００２２】
側壁部４０３は、吸気プレート部４０１の下面と支持プレート部４０２の上面との間に設けられ、吸気プレート部４０１及び支持プレート部４０２とともに、インペラ２００及びモータ３００を収容する内部空間を形成している。側壁部４０３には、径方向に向いて開口する送風口４０３ａが設けられている。ハウジング４００の内部空間は、インペラ２００及びモータ３００を収容し、吸気口４０１ａ及び送風口４０３ａを介してハウジング４００の外部に通じている。
【００２３】
また、吸気プレート部４０１、支持プレート部４０２、及び側壁部４０３は、特に限定しないが、たとえば金属製である。一例として、吸気プレート部４０１及び支持プレート部４０２はステンレス製であり、側壁部４０３は銅製である。また、側壁部４０３は、鍛造、鋳造、又はプレス加工により形成され、吸気プレート部４０１及び支持プレート部４０２とともにインサート成形又はアウトサート成形される。また、成形後のハウジング４００は、形状の精度を担保するため、成形後に切削加工される。
【００２４】
また、側壁部４０３にはインペラ２００の回転により発生する風が直接に当たる。そのため、側壁部４０３の熱伝導率は、高いことが好ましく、たとえば１００［Ｗ／ｍ・Ｋ］以上であることが好ましい。こうすれば、送風装置１００内に比較的高温の空気が流れ込んでも、インペラ２００の回転により径方向外側に送風される該空気を側壁部４０３で効果的に放熱できる。この効果は、空冷ファンに送風装置１００を用いた場合に、特に有効である。
【００２５】
＜１−２．インペラの構成＞
次に、インペラ２００の構成を説明する。図３は、インペラ２００の上面図である。図４は、周方向から見た送風装置１００の断面図である。なお、図４は、図１の一点鎖線Ａ１−Ａ１に沿う送風装置１００の断面、及び図３の一点鎖線Ａ２−Ａ２に沿うインペラ２００の断面に対応している。
【００２６】
インペラ２００は、複数の羽根部１と、蓋部２１と、筒部２２と、フランジ部２３と、リング部２５と、を有する。また、蓋部２１、筒部２２、及びフランジ部２３は、カップ部２を構成する。つまり、インペラ２００は、カップ部２を有している。カップ部２は、モータ３００の軸方向上側における上端部を内部に収容し、言い換えるとモータ３００の上端に取り付けられている。なお、羽根部１の構成は後に説明する。
【００２７】
複数の羽根部１は、周方向に配列されている。羽根部１の数は、羽根部１が空気を掻く際に発生する騒音を抑制するために素数であることが好ましい。また、羽根部１の数は、たとえば３１枚以上とすることが好ましい。羽根部１の数が増えるほど、羽根部１間の間隔が狭くなるので、羽根部１間の静圧が増大して、羽根部１間の空気はより勢い良く径方向外側に送出される。よって、送風装置１００の送風効率が向上する。なお、羽根部１の構成は後に説明する。
【００２８】
蓋部２１は、シャフト３０１に連結され、モータ３００の上面を覆う。筒部２２は、蓋部２１の径方向外側における外端部から、少なくとも軸方向下側に向かって延びる。蓋部２１及び筒部２２は、モータ３００の軸方向上側における上端部を収容する内部空間を構成している。また、筒部２２の外側面は湾曲面２２１を有している。周方向から見た断面視において、湾曲面２２１は、軸方向上側及び径方向外側に向いており、さらに、湾曲面２２１が向く方向とは反対側に凹んでいる。湾曲面２２１の曲率中心は湾曲面２２１よりも湾曲面２２１が向く方向側にある。従って、湾曲面２２１に沿って径方向外側に流れる空気は、スムーズに流れて、フランジ部２３に至る。フランジ部２３は、筒部２２の径方向外側における外端部から径方向外側に延びる。フランジ部２３の径方向外側における外周縁部２３０には、複数の羽根部１が設けられている。
【００２９】
インペラ２００が回転する際、吸気口４０１ａを通じてハウジング４００の内部空間に流れ込む空気は、湾曲面２２１とフランジ部２３の上面とに沿って径方向外側に流れて、複数の羽根部１間に流れ込む。該空気は、周方向に回転する複数の羽根部１により風となって、インペラ２００の径方向外側に流れ、送風口４０３ａを通じてハウジング４００の外部に送り出される。
【００３０】
リング部２５は、環状であり、羽根部１の軸方向上側において複数の羽根部１を連結している。なお、この例示に限定されず、リング部２５は、羽根部１の軸方向下側において複数の羽根部１を連結してもよい。すなわち、リング部２５は、羽根部１の軸方向上側及び下側のうちの少なくとも一方に設けられ、該少なくとも一方において複数の羽根部１を連結していればよい。環状のリング部２５が複数の羽根部１を連結することにより、インペラ２００に設けられる各々の羽根部１の強度を向上させることができる。また、吸気口４０１ａから一旦吸い込んだ空気が該吸気口４０１ａに向かって逆流することは、羽根部１よりも軸方向上側に設けられた環状のリング部２５によって抑制又は防止できる。また、たとえば支持プレート部４０２に他の吸気口（不図示）が設けられている場合において羽根部１よりも軸方向下側に環状のリング部２５が設けられていれば、該他の吸気口から一旦吸い込んだ空気が該吸気口に向かって逆流することは、羽根部１よりも軸方向下側に設けられた環状のリング部２５によって抑制又は防止できる。
【００３１】
リング部２５は、湾曲面２５ａを有する。湾曲面２５ａは、周方向から見た断面視において、軸方向上側且つ径方向内側に向かって突き出る湾曲形状を有している。こうすれば、吸気口４０１ａで吸い込まれた空気がリング部２５の湾曲面２５ａに沿って流れる。従って、空気の流れが湾曲面２５ａから剥離し難くなるので、吸気効率が向上する。
【００３２】
＜１−３．羽根部の構成＞
次に、羽根部１の構成を説明する。各々の羽根部１は、図３及び図４に示すように、フランジ部２３の外周縁部２３０から少なくとも径方向外側に向かって延びている。そのため、たとえば複数の羽根部１がフランジ部２３の内周縁部から延びる場合と比べて、より多くの羽根部１を周方向に配列させることができる。
【００３３】
軸方向から見て、羽根部１の径方向内側における内端部は、吸気口４０１ａと重なっている。そのため、羽根部１は、吸気口４０１ａから吸気された空気を掻いて風を起こすことができる。また、羽根部１の径方向内側における内端部が吸気口４０１ａよりも径方向外側にある場合と比べて羽根部１が空気を掻く面積は広くなるので、羽根部１はより多くの風を起こすことができる。従って、吸気口４０１ａでの吸気効率を向上でき、送風装置１００の風量をさらに増加することができる。
【００３４】
また、羽根部１の径方向内側における内端部は、フランジ部２３の外周縁部２３０にて、フランジ部２３から軸方向上側に突出している。軸方向から見て、羽根部１の内端部が外周縁部２３０にて突出しているので、たとえば該内端部がインペラ２００の中央部にある場合よりも、周方向に設けることができる羽根部１の数を多くできる。従って、送風装置１００の風量を増加させ易い。
【００３５】
各々の羽根部１は、図３に示すように軸方向から見て、周方向に湾曲しており、より具体的には周方向において回転方向Ｄｒｏとは反対側に突き出た湾曲形状である。図３及び図４に示すように、軸方向から見て、フランジ部２３の径方向外側に位置する外側面２３ａから羽根部１の径方向外側における外端部までの羽根部１に沿う長さＬｂは、外側面２３ａよりも径方向外側における羽根部１の軸方向長さＬｈｏよりも長くなっている。こうすれば、インペラ２００の羽根部１をさらに薄型化できるので、送風装置１００の小型化に寄与できる。
【００３６】
また、外側面２３ａよりも径方向外側における羽根部１の軸方向長さＬｈｏは、外側面２３ａよりも径方向内側における羽根部１の軸方向長さＬｈｉよりも大きくなっている。こうすれば、羽根部１の空気を掻く面積がより広くなるので、羽根部１はより多くの風を起こすことができる。従って、送風装置１００の送風量を増加させることができる。
【００３７】
各々の羽根部１は、樹脂製である。また、本実施形態では、全ての羽根部１がフランジ部２３と同じ部材の一部となっているが、この例示に限定されない。一部又は全ての羽根部１が、樹脂製であって、フランジ部２３とは異なる部材であってもよい。すなわち、一部の羽根部１が、樹脂製であって、フランジ部２３と同じ部材の一部であってもよい。或いは、全ての羽根部１がフランジ部２３とは異なる部材であってもよい。但し、複数の羽根部１のうちの少なくとも１つは、樹脂製であって、フランジ部２３と同じ部材の一部であることが好ましい。こうすれば、全ての羽根部１がフランジ部２３とは別の部材である場合と比べて製造工程数を削減できるので、製造に要する時間（たとえば生産タクト）を短縮して、製造効率を向上できる。
【００３８】
各々の羽根部１は、図４に示すように、支持プレート部４０２と対向する羽根部下端面１１と、吸気プレート部４０１と対向する羽根部上端面１２と、羽根部外側面１３と、を有する。また、各々の羽根部１は、図３に示すように、周方向におけるインペラ２００の回転方向Ｄｒｏとは反対側に位置する後縁面１４ａと、周方向におけるインペラ２００の回転方向Ｄｒｏ側に位置する前縁面１４ｂと、をさらに有する。インペラ２００が回転する際、羽根部１の前縁面１４ｂが空気を押すため、前縁面１４ｂには正圧が掛かり、後縁面１４ａには負圧が掛かる。
【００３９】
また、軸方向から見て、各々の羽根部１の後縁面１４ａ及び前縁面１４ｂは、周方向に湾曲している。より具体的には、軸方向から見て、各々の羽根部１の後縁面１４ａ及び前縁面１４ｂは、周方向における回転方向Ｄｒｏとは反対側に向かって湾曲している。こうすれば、インペラ２００を回転させる際、周方向に隣り合う羽根部１間において径方向外側に送り出される空気が、周方向に湾曲する後縁面１４ａに沿って流れる。従って、後縁面１４ａ上において、渦流の発生を抑制し、さらに騒音も低減できる。
【００４０】
このほか、複数の羽根部１の少なくとも一部は、径方向内側且つ軸方向上側における端部に後述する段差部１５を有している。なお、段差部１５を有する羽根部１、及び段差部１５の構成は後に説明する。
【００４１】
＜１−３−１．後縁面の構成＞
次に、羽根部１の後縁面１４ａの構成を説明する。図５は、羽根部１が延びる方向から見た羽根部１の断面図である。なお、図５は、たとえば図３において羽根部１が延びる方向及び軸方向に垂直な直線Ｃ−Ｃに沿う羽根部１の断面を示している。
【００４２】
各々の羽根部１において、後縁面１４ａは、背面１４１と、第１曲面１４２と、第２曲面１４３と、を有する。軸方向から見た平面視において、背面１４１、第１曲面１４２、及び第２曲面１４３は、周方向における回転方向Ｄｒｏとは反対側に向かって突き出る湾曲形状である。
【００４３】
背面１４１は、羽根部１が延びる方向から見た断面視において、真っ直ぐに延び、軸方向と平行である。
【００４４】
第１曲面１４２は、羽根部１が延びる方向から見た断面視において、周方向における回転方向Ｄｒｏとは反対側と軸方向上側とに向かって突き出る湾曲形状を有して、羽根部１の上端面１２と背面１４１の軸方向上側における上端部とに繋がっている。より具体的には、第１曲面１４２は、羽根部１が延びる方向から見た断面視において、軸方向上側及び周方向における回転方向Ｄｒｏとは反対側とに突き出た湾曲形状をしている。第１曲面１４２の軸方向上側における上端部は、羽根部上端面１２の周方向における回転方向Ｄｒｏとは反対側における端部と連結されている。また、第１曲面１４２の軸方向下側における下端部は、背面１４１の軸方向上側における上端部と連結されている。
【００４５】
また、第１曲面１４２は、羽根部上端面１２及び背面１４１と滑らかに繋がることが好ましい。より具体的には、羽根部１が延びる方向から見た断面視において、軸方向の上端部における第１曲面１４２の接線方向は、周方向における回転方向Ｄｒｏとは反対側における端部での羽根部上端面１２の接線方向と平行であることが好ましい。また、羽根部１が延びる方向から見た断面視において、軸方向の下端部における第１曲面１４２の接線方向は、背面１４１と平行であることが好ましい。こうすれば、羽根部上端面１２上から第１曲面１４２上に流れ込む空気の流れ方向の急激な変化を抑制又は防止できる。また、第１曲面１４２上から背面１４１上に流れ込む空気の流れ方向の急激な変化を抑制又は防止できる。従って、後縁面１４ａに第１曲面１４２を設けることによる騒音の抑制に寄与できる。
【００４６】
第２曲面１４３は、羽根部１が延びる方向から見た断面視において、周方向における回転方向Ｄｒｏとは反対側と軸方向下側とに向かって突き出る湾曲形状を有して、羽根部１の下端面１１と背面１４１の軸方向下側における下端部とに繋がっている。より具体的には、第２曲面１４３は、羽根部１が延びる方向から見た断面視において、軸方向下側及び周方向における回転方向Ｄｒｏとは反対側とに突き出た湾曲形状をしている。第２曲面１４３の軸方向下側における下端部は、羽根部下端面１１の周方向における回転方向Ｄｒｏとは反対側における端部と連結されている。また、第２曲面１４３の軸方向上側における上端部は、背面１４１の軸方向下側における下端部と連結されている。
【００４７】
また、第２曲面１４３は、羽根部下端面１１及び背面１４１と滑らかに繋がることが好ましい。より具体的には、羽根部１が延びる方向から見た断面視において、軸方向の上端部における第２曲面１４３の接線方向は、背面１４１と平行であることが好ましい。また、羽根部１が延びる方向から見た断面視において、軸方向の下端部における第２曲面１４３の接線方向は、周方向における回転方向Ｄｒｏとは反対側における端部における羽根部下端面１１の接線方向と平行であることが好ましい。こうすれば、羽根部下端面１１上から第２曲面１４３上に流れ込む空気の流れ方向の急激な変化を抑制又は防止できる。また、第２曲面１４３上から背面１４１上に流れ込む空気の流れ方向の急激な変化を抑制又は防止できる。従って、後縁面１４ａに第２曲面１４３を設けることによる騒音の抑制に寄与できる。
【００４８】
図５では、羽根部１が延びる方向から見た断面視において、羽根部１の軸方向における幅（Ｗａ１＋Ｗａ２＋Ｗａ３）はたとえば１．４［ｍｍ］である。背面１４１の軸方向における幅Ｗａ１はたとえば０．８［ｍｍ］である。第１曲面１４２の軸方向における幅Ｗａ２はたとえば０．３［ｍｍ］であり、第２曲面１４３の軸方向における幅Ｗａ３はたとえば０．３［ｍｍ］である。
【００４９】
また、羽根部１が延びる方向から見た断面視において、羽根部１が延びる方向と軸方向とに垂直な方向における羽根部１の厚さは、一定であり、たとえば０．２５〜０．８［ｍｍ］である。本実施形態では、羽根部１の厚さＷｃは、０．５［ｍｍ］である。羽根部１の厚さを適切な大きさにすることにより、羽根部１そのものの強度を確保することができる。
【００５０】
なお、後縁面１４ａは、本実施形態では第１曲面１４２及び第２曲面１４３の両方を有しているが、この例示に限定されない。たとえば、後縁面１４ａは、第１曲面１４２及び第２曲面１４３の両方を有していない構成であってもよいし、第１曲面１４２及び第２曲面１４３のうちのどちらかを有する構成であってもよい。
【００５１】
但し、騒音抑制の観点からいえば、後縁面１４ａは、第１曲面１４２及び第２曲面１４３のうちの少なくとも一方を有することが好ましい。こうすれば、送風装置１００を駆動してインペラ２００を回転させる際、周方向におけるインペラ２００の回転方向Ｄｒｏとは反対側における羽根部１の後縁面１４ａ近傍に渦流が発生し難くなる。従って、インペラ２００の回転に起因する騒音の発生を抑制できる。
【００５２】
また、コンピュータシミュレーションによる解析結果などでは、第１曲面１４２による騒音の抑制効果は、第２曲面１４３による騒音の抑制効果よりも強いことが分かっている。従って、第１曲面１４２のみを後縁面１４ａが有する構成は、第２曲面１４３のみを後縁面１４ａが有する構成よりも好ましい。さらに、後縁面１４ａが第１曲面１４２及び第２曲面１４３の両方を有する構成は、インペラ２００の回転の際に発生する騒音をさらに抑制できる点でより好ましい。騒音の抑制効果の強さは、「第１曲面１４２及び第２曲面１４３の両方が後縁面１４ａに設けられる構成」＞「第１曲面１４２が後縁面１４ａに設けられる構成」＞「第２曲面１４３が後縁面１４ａに設けられる構成」＞「第１曲面１４２及び第２曲面１４３の両方が後縁面１４ａに設けられない構成」となっている。
【００５３】
＜１−３−２．複数の羽根部の構成＞
次に、フランジ部２３の外周縁部２３０に設けられる複数の羽根部１の構成を説明する。図６Ａ〜図６Ｃは、羽根部１の構成を説明するための図である。図６Ａは、インペラ２００の斜視図である。図６Ｂは、羽根部１の構成例を示す斜視図である。図６Ｃは、羽根部１の径方向内側における内端部を拡大した上面図である。なお、図６Ｂは、たとえば図６Ａにおいて実線で囲まれた部分に対応している。図６Ｃは、たとえば図３において破線で囲まれた部分に対応している。
【００５４】
複数の羽根部１は、羽根部群１Ｇを有し、より具体的には周方向に並ぶ複数の羽根部群１Ｇで構成されている。
【００５５】
各々の羽根部群１Ｇは、第１羽根部１ａ、第２羽根部１ｂ、及び第３羽根部１ｃを含んでいる。第１羽根部１ａ及び第２羽根部１ｂはそれぞれ、径方向内側且つ軸方向上側における端部に段差部１５を有する羽根部１である。第３羽根部１ｃは、段差部１５を有さない羽根部１である。なお、各々の羽根部群１Ｇは、本実施形態では第１羽根部１ａ、第２羽根部１ｂ、及び第３羽根部１ｃで構成されているが、この例示に限定されず、第１羽根部１ａ、第２羽根部１ｂ、及び第３羽根部１ｃのうちの少なくとも２つを含んでいればよい。また、各々の羽根部群１Ｇは、第１〜第３羽根部１ａ〜１ｃ以外の羽根部１を含んでいてもよい。
【００５６】
各々の羽根部群１Ｇにおいて、第２羽根部１ｂは第１羽根部１ａと周方向に隣り合っており、第３羽根部１ｃは第２羽根部１ｂと周方向に隣り合っている。また、第１羽根部１ａは、第２羽根部１ｂよりも羽根部群１Ｇの回転方向Ｄｒｏに配置されている。また、第３羽根部１ｃは、第２羽根部１ｂよりも周方向における回転方向Ｄｒｏとは反対側に配置されている。
【００５７】
第２羽根部１ｂの径方向内側における内端部は、第１羽根部１ａの径方向内側における内端部よりも径方向外側に位置する。また、第３羽根部１ｃの径方向内側における内端部は、第１羽根部１ａの径方向内側における内端部、及び第２羽根部１ｂの径方向内側における内端部よりも径方向外側に位置する。
【００５８】
第１羽根部１ａ及び第２羽根部１ｂには段差部１５が設けられているため、第１羽根部１ａ及び第２羽根部１ｂの径方向内側における各内端部の軸方向長さは、第３羽根部１ｃの径方向内側における内端部の軸方向長さよりも短くなっている。また、第１羽根部１ａの径方向内側における内端部の軸方向長さは、第２羽根部１ｂの径方向内側における内端部の軸方向長さよりも短くなっている。そのため、第１羽根部１ａの段差部１５上を流れる空気の一部は第１羽根部１ａ及び第２羽根部１ｂ間に流れ込み易くなっており、第２羽根部１ｂの段差部１５上を流れる空気は第２羽根部１ｂ及び第３羽根部１ｃ間に流れ込み易くなっている。
【００５９】
＜１−３−３．段差部の構成＞
次に、図６Ａ〜図６Ｃを参照して、段差部１５の構成を説明する。段差部１５は、少なくとも一部の羽根部１の径方向内側における内端部において軸方向上側にそれぞれ設けられている。このように、少なくとも一部の羽根部１が径方向内側且つ軸方向上側において段差部１５を有することにより、インペラ２００が回転する際に空気が羽根部１の表面から剥離することを抑制して、渦流及び騒音の発生を抑制できる。また、空気が羽根部１間に流れ込み易くなる。従って、送風装置の送風効率を向上できる。
【００６０】
段差部１５は、図６Ｂに示すように、羽根部１の軸方向上側に設けられた環状のリング部２５よりも径方向内側に位置している。送風装置１００の送風効率は環状のリング部２５よりも径方向外側における空気の流れの影響を受けやすい。従って、環状のリング部２５よりも径方向内側に段差部１５を設けて空気の流れを良くした状態で、空気を径方向外側に送ることにより、送付装置１００の送風効率がさらに向上する。
【００６１】
段差部１５は、第１端面１５ａと、第２端面１５ｂと、第３端面１５ｃと、を含んでいる。なお、本実施形態において第１端面１５ａ、第２端面１５ｂ、及び第３端面１５ｃはそれぞれ、羽根部上端面１２の一部であり、羽根部１の回転方向Ｄｒｏにおける端部から周方向における回転方向Ｄｒｏとは反対側における端部に延びている。
【００６２】
第１端面１５ａは、軸方向上側を向いており、第３端面１５ｃよりも径方向外側に位置している。
【００６３】
第２端面１５ｂは、軸方向上側を向いており、第３端面１５ｃよりも径方向内側に位置している。また、第２端面１５ｂは、軸方向から見てフランジ部２３の径方向外側に位置する外側面２３ａよりも径方向内側に位置し、第１端面１５ａよりも軸方向下側に位置している。
【００６４】
第３端面１５ｃは、第１端面１５ａの径方向内側における内端部及び第２端面１５ｂの径方向外側における外端部を接続している。つまり、第３端面１５ｃの径方向外側の外端部は第１端部１５ａの径方向内側における内端部と繋がっている。また、第３端面１５ｃの径方向内側の内端部は第２端部１５ｂの径方向外側における外端部と繋がっている。
【００６５】
また、前述のように段差部１５は、羽根部群１Ｇのうちの第１羽根部１ａ及び第２羽根部１ｂに設けられている。図６Ｂに示すように、第１羽根部１ａの段差部１５における第１端面１５ａと第２端面１５ｂとの間の軸方向における間隔Ｄｂ１は、第２羽根部１ｂの段差部１５における第１端面１５ａと第２端面１５ｂとの間の軸方向における間隔Ｄｂ２よりも大きくなっている。また、第１羽根部１ａにおける第３端面１５ｃは、第２羽根部１ｂにおける第３端面１５ｃよりも径方向内側に位置している。
【００６６】
軸方向から見て図６Ｃに示すように、第１羽根部１ａにおける第２端面１５ｂの長さＬｓ１は、第２羽根部１ｂにおける第２端面１５ｂの長さＬｓ２よりも大きくなっている。なお、長さＬｓ１は、軸方向から見て、第１羽根部１ａが延びる方向に沿う長さである。長さＬｓ２は、軸方向から見て、第２羽根部１ｂにおける第２端面１５ｂの第２羽根部１ｂが延びる方向に沿う長さである。また、第１羽根部１ａにおける第１端面１５ａの軸方向における位置は、第２羽根部１ｂにおける第１端面１５ａの軸方向における位置と同じである。
【００６７】
また、軸方向から見て図６Ｃに示すように、第２羽根部１ｂにおける第２端面１５ｂの面積Ｓｂ２は、第１羽根部１ａにおける第２端面１５ｂの面積Ｓｂ１よりも小さくなっている。
【００６８】
これらの構成によれば、第１羽根部１ａの第２端面１５ｂ上を流れる空気が第１羽根部１ａ及び第２羽根部１ｂ間に流れ込み易くなる。従って、第２羽根部１ｂが掻く空気の風量が増加する。
【００６９】
＜１−３−４．羽根部の構成の変形例＞
次に、羽根部１の構成の変形例を説明する。図７Ａは、羽根部１の構成の変形例を示す斜視図である。図７Ｂは、フランジ部２３の外周面２３ａよりも径方向内側における羽根部１の断面の一例を示す断面図である。図７Ｃは、フランジ部２３の外周面２３ａよりも径方向外側における羽根部１の断面の一例を示す断面図である。なお、図７Ａは、たとえば図６Ａの実線で囲まれた部分に対応している。図７Ｂは、図７Ａの一点鎖線Ｄ−Ｄに沿う羽根部１の断面に対応している。また、図７Ｃは、図７Ａの一点鎖線Ｅ−Ｅに沿う羽根部１の断面に対応している。
【００７０】
各々の羽根部１は、径方向内側における内端部において、周方向における回転方向Ｄｒｏとは反対側に位置する後縁面１４ａに傾斜面１４５をさらに有している。言い換えると、各々の羽根部１において後縁面１４ａは、背面１４１と、傾斜面１４５と、を含んでいる。なお、この例示に限定されず、複数の羽根部１のうちの一部が傾斜面１４５を有していてもよい。すなわち、複数の羽根部１のうちの少なくともいずれかが、径方向内側における内端部において、後縁面１４ａに傾斜面１４５を有していればよい。
【００７１】
傾斜面１４５は、羽根部１の軸方向上側における上端部から延びて、周方向における回転方向Ｄｒｏとは反対側に向かって、中心軸ＣＡに直交する平面ＰＬに対して軸方向下側に傾斜している。傾斜面１４５は、図７Ｂ及び図７Ｃに示すように、羽根部上端面１２と背面１４１とに接続されている。すなわち、傾斜面１４５の軸方向上側における上端部は羽根部上端面１２の周方向における回転方向Ｄｒｏとは反対側における端部と繋がっており、傾斜面１４５の軸方向下側における下端部（つまり縁部１４５ａ）は背面１４１の軸方向上側における上端部と繋がっている。
【００７２】
周方向から見て、図７Ｂに示すように、羽根部１の軸方向上側における上端部と傾斜面１４５の軸方向下側における縁部１４５ａとの間の軸方向における間隔ｈ１は、縁部１４５ａとフランジ部２３の上面との間の軸方向における間隔ｈ２よりも大きくなっている。また、周方向から見て、図７Ｃに示すように、上記の軸方向における間隔ｈ１は、縁部１４５ａと羽根部１の軸方向下側における下端部との間の軸方向における間隔ｈ３よりも大きくなっている。なお、上記の軸方向における間隔ｈ３は、上記の軸方向における間隔ｈ２よりも大きい。
【００７３】
これらの構成によれば、比較的広い傾斜面１４５により、羽根部１の軸方向上側における端部の上を周方向に流れる空気を滑らかに羽根部１の周方向の回転方向Ｄｒｏとは反対側に流すことができる。従って、羽根部１間に空気がさらに流れ込み易くなるので、送風装置１００の送風効率がさらに向上する。
【００７４】
なお、変形例の羽根部１は、図７Ａ〜図７Ｃでは第１曲面１４２及び第２曲面１４３（図５参照）を有していないが、この例示に限定されず、第１曲面１４２及び第２曲面１４３のうちの少なくとも一方をさらに有していてもよい。すなわち、変形例の後縁面１４４ａは、第１曲面１４２をさらに含んでいてもよいし、又は、第２曲面１４３をさらに含んでいてもよい。或いは、変形例の後縁面１４４ａは、たとえば図７Ａの一点鎖線Ｅ−Ｅに沿う断面に対応する図７Ｄのように、第１曲面１４２及び第２曲面１４３の両方をさらに含んでいてもよい。また、変形例の後縁面１４４ａが少なくとも第１曲面１４２を含む場合、傾斜面１４５は、第１曲面１４２の軸方向下側における下端部から延びる。後縁面１４ａに第１曲面１４２及び第２曲面１４３のうちの少なくとも一方を設けることによって、インペラ２００が回転する際に発生する騒音の抑制に寄与できる。
【００７５】
＜１−４．実施形態の変形例＞
周方向から見た断面視において、羽根部１の羽根部上端面１２、及び吸気プレート部４０１の羽根部上端面１２と対向する部分は、本実施形態では径方向に向かって真っ直ぐに延びているが、この例示には限定されない。
【００７６】
＜１−４−１．実施形態の第１変形例＞
図８は、送風装置１００の構成の第１変形例を示す断面図である。羽根部１は、図８に示すように、リング部２５よりも径方向外側に位置する第１羽根部端面１２１をさらに有する。つまり、羽根部上端面１２は、第１羽根部端面１２１を含んでいる。周方向から見て、第１羽根端面１２１は、径方向外側に向かって、中心軸ＣＡに直交する平面ＰＬに対して軸方向上側に傾斜している。吸気プレート部４０１は、第１板部４０１ｂをさらに有している。第１板部４０１ｂは、羽根部１の第１羽根端面１２１よりも軸方向上側において第１羽根端面１２１と平行に設けられている。こうすれば、リング部２５と第１板部４０１ｂとの間の隙間を比較的に狭くすることにより、該隙間での空気の逆流を抑制できる。
【００７７】
＜１−４−２．実施形態の第２変形例＞
図９は、送風装置１００の構成の第２変形例を示す断面図である。羽根部１は、図９に示すように、リング部２５よりも径方向外側に位置する第２羽根部端面１２２をさらに有する。つまり、羽根部上端面１２は、第２羽根端面１２２を含んでいる。周方向から見て、第２羽根端面１２２は、径方向外側に向かって、中心軸ＣＡに直交する平面ＰＬに対して軸方向下側に傾斜している。吸気プレート部４０１は、第２板部４０１ｃをさらに有する。第２板部４０１ｃは、羽根部１の第２羽根端面１２２よりも軸方向上側において第２羽根端面１２２と平行に設けられている。こうすれば、吸気口４０１ａから効率よく空気を吸い込むことができるので、送風装置１００の風量を増加させ易い。
【００７８】
なお、図８及び図９の例示に限定されず、第１変形例及び第２変形例は、適宜組み合わせてもよい。たとえば、吸気プレート部４０１は、第２板部４０１ｃおよび第２板部４０１ｃの径方向内側における内端部から径方向内側へ延びる第１板部４０１ｂを有するとともに、羽根部上端面１２は、第２羽根部端面１２２と、第２羽根部端面１２２の径方向内側における内端部から径方向内側へ延びる第１羽根部端面１２１とを有していてもよい。こうすれば、羽根部１と吸気プレート部４０１との間の隙間での空気の逆流を抑制できるとともに、吸気口４０１ａへの空気の逆流も抑制できる。
【００７９】
＜１−５．送風装置の応用例＞
次に、送風装置１００の応用例を説明する。図１０Ａは、送風装置１００を搭載するラップトップ型の情報装置５００の一例を示す透視斜視図である。図１０Ｂは、ヒートパイプ６００が取り付けられた送風装置１００の構成例を示す斜視図である。なお、図１０Ａの軸方向は、図１〜図９とは逆になっている。より具体的には、図１０Ａの上側に向かう方向が図１〜図９における軸方向下側に対応し、図１０Ａの下側に向かう方向が図１〜図９における軸方向上側に対応している。図１０Ｂの軸方向は図１〜図９と同じである。
【００８０】
情報装置５００は、たとえばノートパソコンのような薄型のパーソナルコンピュータである。送風装置１００は、情報装置５００の空冷ファンとして用いられ、シート状のダンパー１００ａ及びヒートパイプ６００とともに情報装置５００の内部に搭載されている。送風装置１００及びヒートパイプ６００は、たとえば、情報装置５００のキーボード５１０の裏面に取り付けられる。
【００８１】
ダンパー１００ａは、送風装置１００を衝撃から保護するための緩衝部材であり、送風装置１００の軸方向における下面に設けられている。送風装置１００は、ダンパー１００ａを介してキーボード５１０の裏面に取り付けられている。
【００８２】
ヒートパイプ６００は、情報装置５００の内部及び発熱部から発生する熱を伝導する部材である。ヒートパイプ６００は、図１０Ｂでは、送風装置１００及び情報装置５００に搭載されているＣＰＵ５２０から発生する熱を伝導している。ヒートパイプ６００は、伝熱シート６１０と、ヒートシンク６２０と、ヒートスプレッダ６３０と、を含む。
【００８３】
伝熱シート６１０は、帯状の熱伝導部材であり、台座５３０上に配置されたＣＰＵ５２０の熱をヒートシンク６２０に伝導する。伝熱シート６１０の一方端はヒートシンク６２０に熱伝導可能に貼り付けられ、伝熱シート６１０の他方端はヒートスプレッダ６３０を介してＣＰＵ５２０に熱伝導可能に貼り付けられている。
【００８４】
ヒートシンク６２０は、送風装置１００の送風口４０３ａに送風可能に設けられ、伝熱シート６１０から伝導される熱を送風口４０３ａから送風される空気に伝達することにより放熱する。
【００８５】
ヒートスプレッダ６３０は、シート状の熱伝導部材である。ヒートスプレッダ６３０の一部は、ＣＰＵ５２０に熱伝導可能に貼り付けられている。また、ヒートスプレッダ６３０の他の一部は、たとえばキーボード５１０の裏面に熱伝導可能に貼り付けられている。ヒートスプレッダ６３０は、情報装置５００のたとえば筐体（不図示）、送風装置１００が送風する空気にＣＰＵ５２０の熱を伝導する。
【００８６】
送風装置１００の吸気プレート部４０１、支持プレート部４０２、及び側壁部４０３のうちの少なくともいずれかは、半田、熱伝導性の両面接着又は片面接着のテープなどによって、ヒートパイプ６００と熱伝導可能に接続されていてもよい。たとえば、半田付け又は上記テープを用いた接着により、上述の少なくともいずれかと伝熱シート６１０の一方端とが熱伝導可能に接続されてもよい。或いは、伝熱シート６１０の一方端自身が送風装置１００の上述の少なくともいずれかに熱伝導可能に接着してもよい。こうすれば、ヒートパイプ６００は、送風装置１００のハウジング４００に熱を効率よく伝導できる。従って、送風装置１００は、ＣＰＵ５２０で発生した熱も効率よく送風する空気に放散して、情報装置５００の外部に放出できる。
【００８７】
＜２．その他＞
以上、本発明の実施形態について説明した。なお、本発明の範囲は上述の実施形態に限定されない。本発明は、発明の主旨を逸脱しない範囲で種々の変更を加えて実施することができる。また、上述の実施形態で説明した事項は、矛盾を生じない範囲で適宜任意に組み合わせることができる。
【産業上の利用可能性】
【００８８】
本発明は、たとえば薄型の送風ファンとして有用である。但し、本発明の用途は、この例示には限定されない。
【符号の説明】
【００８９】
１００・・・送風装置、２００・・・インペラ、１・・・羽根部、１Ｇ・・・羽根部群、１ａ・・・第１羽根部、１ｂ・・・第２羽根部、１ｃ・・・第３羽根部、１１・・・羽根部下端面、１２・・・第２羽根部上端面、１２１・・・第１羽根部端面、１２２・・・第２羽根部端面、１４ａ・・・後縁面、１４ｂ・・・前縁面、１４１・・・背面、１４２・・・第１曲面、１４３・・・第２曲面、１４５・・・傾斜面、１４５ａ・・・縁部、１５・・・段差部、１５ａ・・・第１端面、１５ｂ・・・第２端面、１５ｃ・・・第３端面、２・・・カップ部、２１・・・蓋部、２２・・・筒部、２２１・・・湾曲面、２３・・・フランジ部、２３ａ・・・外側面、２３０・・・外周縁部、２５・・・リング部、２５ａ・・・湾曲面、３００・・・モータ、３０１・・・シャフト、４００・・・ハウジング、４０１・・・吸気プレート部、４０１ａ・・・吸気口、４０１ｂ・・・第１板部、４０１ｃ・・・第２板部、４０２・・・支持プレート部、４０３・・・側壁部、４０３ａ・・・送風口、５００・・・情報装置、５１０・・・キーボード、５２０・・・ＣＰＵ、５３０・・・台座、６００・・・ヒートパイプ、６１０・・・伝熱シート、６２０・・・ヒートシンク、３０・・・ヒートスプレッダ、ＣＡ・・・中心軸、ＰＬ・・・平面、Ｄｒｏ・・・回転方向、Ｌａ、Ｌｈｏ、Ｌｈｉ・・・軸方向長さ、Ｌｒ・・・最短距離、Ｌｂ、Ｌｓ１、Ｌｓ２・・・羽根部に沿う長さ、Ｗａ１、Ｗａ２、Ｗａ３・・・軸方向における幅、Ｗｃ・・・厚さ、Ｓｂ１、Ｓｂ２・・・面積、Ｄｂ１、Ｄｂ２・・・間隔
【図１】
2018193892.tif 000003
【図２】
2018193892.tif 000004
【図３】
2018193892.tif 000005
【図４】
2018193892.tif 000006
【図５】
2018193892.tif 000007
【図６Ａ】
2018193892.tif 000008
【図６Ｂ】
2018193892.tif 000009
【図６Ｃ】
2018193892.tif 000010
【図７Ａ】
2018193892.tif 000011
【図７Ｂ】
2018193892.tif 000012
【図７Ｃ】
2018193892.tif 000013
【図７Ｄ】
2018193892.tif 000014
【図８】
2018193892.tif 000015
【図９】
2018193892.tif 000016
【図１０Ａ】
2018193892.tif 000017
【図１０Ｂ】
2018193892.tif 000018